(57)【要約】【課題】本発明は、表示部にオペレータにとって見易い表示を行う印刷装置に関する。【解決手段】印刷装置であって、装置に設けられた表示手段と、装置の正面に位置する操作部の操作の有無を記憶する第１の記憶手段と、上記装置の正面以外の位置の操作部の操作の有無を記憶する第２の記憶手段と、上記第１の記憶手段に上記正面に位置する操作部の操作が行われたことが記憶されている場合、上記表示手段に正面に位置するオペレータに対する第１の表示を行い、上記第２の記憶手段に上記正面以外の位置の操作部の操作が行われたことが記憶されている場合、上記表示手段に上記正面以外に位置するオペレータに対する上記第１の表示と同じ内容の第２の表示を行う制御手段とを有することを特徴とする。【選択図】  図１
2010208267.tif 000002
【特許請求の範囲】
【請求項１】
装置に設けられた表示手段と、
該装置の正面に位置する操作部の操作の有無を記憶する第１の記憶手段と、
前記装置の正面以外の位置の操作部の操作の有無を記憶する第２の記憶手段と、
前記第１の記憶手段に前記操作部の操作が行われたことが記憶されているとき、前記表示手段に、前記正面に位置するオペレータに対する第１の表示を行い、前記第２の記憶手段に前記操作部の操作が行われたことが記憶されているとき、前記表示手段に、前記正面以外に位置するオペレータに対する前記第１の表示と同じ内容の第２の表示を行う制御手段と、
を有することを特徴とする印刷装置。
【請求項２】
前記正面以外の位置は、前記装置の右側、又は左側、又は裏面側であることを特徴とする請求項１に記載の印刷装置。
【請求項３】
前記第１、第２の表示の切り替えは、表示ボタン機能変更処理によって行われることを特徴とする請求項１、又は２に記載の印刷装置。
【請求項４】
装置の正面に位置する操作部の操作の有無を第１の記憶手段に記憶する処理と、
前記装置の正面以外の位置の操作部の操作の有無を第２の記憶手段に記憶する処理と、
前記第１の記憶手段に前記操作部の操作が行われたことが記憶されているとき、正面に位置するオペレータに対する第１の表示を前記装置の表示手段に行い、前記第２の記憶手段に前記操作部の操作が行われたことが記憶されているとき、前記正面以外に位置するオペレータに対する前記第１の表示と同じ内容の第２の表示を前記表示手段に行う処理と、
を印刷装置に実行させることを特徴とするプログラム。
【請求項５】
装置の正面に位置するオペレータに対する第１の表示を行う第１の表示処理と、
前記オペレータの移動した位置に対して、前記第１の表示と同じ内容の第２の表示を行う第２の表示処理と、
を行うことを特徴とする印刷装置の表示方法。
【請求項６】
前記第２の表示は、前記オペレータが前記装置の右側、又は左側、又は裏面側に位置する場合の表示であることを特徴とする請求項６に記載の印刷装置の表示方法。
【発明の詳細な説明】
【技術分野】
【０００１】
本発明は、表示部にオペレータにとって見易い表示を行う印刷装置に関する。
【背景技術】
【０００２】
図１１は印刷装置に設けられた液晶表示部に、装置のトラブルの発生を知らせる表示例を示す。この液晶表示部３０は、２×１６の文字表示が可能なディスプレイであり、印刷装置の正面に対して同図に示すように表示が行われる。尚、上記液晶表示部３０が設けられた印刷装置の右側面には、例えば紙詰まりが発生した際に開放して排除処理を行う不図示のサイドカバーが設けられている。
【０００３】
尚、特許文献１は表示の設定が可能な先行技術であり、蓋の開閉により自動的に動作モード及び表示方向を切り替え、表示方向に基づく操作性の悪化を防止する携帯端末を提供する発明である。
【０００４】
また、特許文献２は操作者の見る角度や、個人によって異なる情報や映像を見ることができ、また周囲方向から立体映像をリアルに見ることができ、更に眼鏡等を使用することなく、両眼立体視を実現する表示装置の発明である。
【先行技術文献】
【特許文献】
【０００５】
【特許文献１】特開平１１−２８４７００号公報
【特許文献２】特開２００７−１３３４１８号公報
【発明の概要】
【発明が解決しようとする課題】
【０００６】
しかしながら、上記図１１に示す表示例では、印刷装置の右側面に紙詰まり処理を行うための開放部が位置しており、オペレータが紙の排除処理を行う際、印刷装置の右側に回りこみ、処理を行う必要がある。このため、オペレータは処理中、図１２に示す右側面側から表示部３０を見ることになり、表示が見ずらい。このため、効率のよい処理を行うことができなかった。
【０００７】
そこで、本発明は紙詰まりや、消耗品の交換、各種メンテナンス処理を行う際、オペレータが表示部を見る方向に、表示を自動的に切り替え、表示を見易くし、効率のよいメンテナンス処理等を可能とする印刷装置を提供するものである。
【課題を解決するための手段】
【０００８】
上記課題は第１の発明によれば、装置に設けられた表示手段と、該装置の正面に位置する操作部の操作の有無を記憶する第１の記憶手段と、前記装置の正面以外の位置の操作部の操作の有無を記憶する第２の記憶手段と、前記第１の記憶手段に前記操作部の操作が行われたことが記憶されているとき、前記表示手段に正面に位置するオペレータに対する第１の表示を行い、前記第２の記憶手段に前記操作部の操作が行われたことが記憶されているとき、前記表示手段に前記正面以外に位置するオペレータに対する前記第１の表示と同じ内容の第２の表示を行う制御手段とを有する印刷装置を提供することによって達成できる。
【０００９】
上記課題は第２の発明によれば、前記正面以外の位置は、前記装置の右側、又は左側、又は裏面側である印刷装置を提供することによって達成できる。
上記課題は第３の発明によれば、前記第１、第２の表示の切り替えは、表示ボタン機能変更処理によって行われる印刷装置を提供することによって達成できる。
【００１０】
上記課題は第４の発明によれば、装置の正面に位置する操作部の操作の有無を第１の記憶手段に記憶する処理と、前記装置の正面以外の位置の操作部の操作の有無を第２の記憶手段に記憶する処理と、前記第１の記憶手段に前記操作部の操作が行われたことが記憶されているとき、正面に位置するオペレータに対する第１の表示を前記装置の表示手段に行い、前記第２の記憶手段に前記操作部の操作が行われたことが記憶されているとき、前記正面以外に位置するオペレータに対する前記第１の表示と同じ内容の第２の表示を前記表示手段に行う処理とを装置に実行させるプログラムを提供することによって達成できる。
【００１１】
上記課題は第５の発明によれば、装置の正面に位置するオペレータに対する第１の表示を行う第１の表示処理と、前記オペレータの移動した位置に対して、前記第１の表示と同じ内容の第２の表示を行う第２の表示処理とを行う表示方法を提供することによって達成できる。
上記課題は第６の発明によれば、前記第２の表示は、前記オペレータが前記装置の右側、又は左側、又は裏面側に位置する場合の表示である表示方法を提供することによって達成できる。
【発明の効果】
【００１２】
本発明によれば、印刷装置の紙詰まり処理や、消耗品の交換作業、及び各種メンテナンス作業を行う際、オペレータの位置に対応して表示部に表示が行われるため、極めて見易い表示とすることができる。したがって、表示内容を正確に把握することができ、効率のよい処理や作業を行うことができる。
【図面の簡単な説明】
【００１３】
【図１】実施形態１における印刷装置の制御システムを説明する図である。
【図２】（ａ）は、本実施形態の印刷装置の外観図であり、（ｂ）は、右側面カバーの開放操作を示す図である。（ｃ）は、オペレーションパネルを説明する図である。
【図３】実施形態１の表示部の構成を示す図である。
【図４】実施形態１の処理動作を説明するフローチャートである。
【図５】実施形態１における表示部の表示遷移図である。
【図６】実施形態２における印刷装置の制御システムを説明する図である。
【図７】本実施形態のオペレーションパネルを説明する図である。
【図８】実施形態２の処理動作を説明するフローチャートである。
【図９】実施形態２における表示部の表示遷移図である。
【図１０】実施形態２を適用しない場合のボタン操作部の表示例を示す図である。
【図１１】従来の処理を説明する図である。
【図１２】従来の処理を説明する図である。
【発明を実施するための形態】
【００１４】
以下、本発明の実施の形態を図面を参照しながら説明する。
図２（ａ）は、本実施形態の印刷装置の外観図である。
【００１５】
同図（ａ）において、印刷装置１は例えばホスト機器から印刷データの供給を受け、記録媒体に印刷を行うプリンタ装置であり、印刷装置１の正面には不図示のトナーカートリッジやドラムセットを挿脱する際に開放する正面カバー２が設けられている。また、この正面カバー２の下方には用紙が収納された給紙カセット３ａ、３ｂが装着されている。一方、印刷装置１の右側面には側面カバー４が設けられ、紙詰まりが発生した際、同図（ｂ）に示すように開放し、紙詰まりの処理を行う。
【００１６】
したがって、上記正面カバー２を開放して、上記トナーカートリッジやドラムセットを挿脱する操作、及び給紙カセット３ａ、３ｂの挿脱操作は印刷装置１の正面から行う。一方、右側面カバー４を開放して行う紙詰まり処理は印刷装置１の右側面から行う。
【００１７】
また、印刷装置１の上部にはオペレーションパネル５及び排紙部６が設けられ、排紙部６には印刷処理が行われた用紙が排出される。また、オペレーションパネル５は、同図（ｃ）に示す構成であり、操作部７と表示部８で構成されている。
【００１８】
操作部７には決定ボタン７ａ、ジョブ取消ボタン７ｂ、方向ボタン７ｃ、オンラインボタン７ｄ、節電ボタン７ｅが設けられている。例えば、方向ボタン７ｃを操作して表示部８に表示されるメニューの選択を行い、決定ボタン７ａの操作によってメニューを決定し、ジョブ取消ボタン７ｂの操作によってジョブの取り消し処理を行う。また、オンラインボタン７ｄの操作によって印刷装置１のオンライン、オフラインの切り替えを行い、節電ボタン７ｅの操作によってエコモードへの切り替えを行う。
【００１９】
また、図３は表示部８の構成を示す図である。表示部８は表示方向が変更可能な構成であるグラフィックＬＣＤ１０、オフラインランプ１１、及び節電ランプ１２で構成されている。グラフィックＬＣＤ１０は、通常同図に示すように正面から見る場合に対応した表示を行う。尚、図３に示す例は、紙詰まり処理を行う際の処理手順を表示する。
【００２０】
また、オフラインランプ１１はホスト機器との接続状態を表示し、上記オンラインボタン７ｄの操作によって設定される。また、節電ランプ１２はエコモードへの設定の有無の表示を行い、上記節電ボタン７ｅの操作によって設定される。
【００２１】
一方、図１は印刷装置１の制御システムを説明する図であり、Ｉ／Ｆコントローラ１３とエンジンコントローラ１４で構成されている。Ｉ／Ｆコントローラ１３はオペレーションパネル制御部（以下、オペパネ制御部で示す）１６、エンジン制御部１７、正面カバー開閉状態記憶部１８、及び右側面カバー開閉状態記憶部１９で構成されている。また、正面カバー開閉状態記憶部１８に記憶する正面カバー２の開閉情報、及び右側面カバー開閉状態記憶部１９に記憶する右側面カバー４の開閉情報は、エンジン制御部１７から送信される。尚、エンジン制御部１７は正面カバー２の設けられた不図示のセンサからの信号に従って正面カバー２の開閉情報を得、右側面カバー４の設けられた不図示のセンサからの信号に従って右側面カバー４の開閉情報を得る。
【００２２】
また、正面カバー開閉状態記憶部１８、及び右側面カバー開閉状態記憶部１９の開閉情報は、オペパネ制御部１６に通知され、グラフィックＬＣＤ１０への表示処理が行われる。
尚、Ｉ／Ｆコントローラ１３は、更に不図示の受信バッファや印刷データ解析部、フレームメモリ等を有し、不図示のホスト機器から送信される印刷データの解析処理を行い、描画データをエンジン制御部１７を介してエンジンコントローラ１４に送り、印刷処理を行う。
【００２３】
以上の構成において、以下に本例の処理動作を説明する。
図４は本例の処理動作を説明するフローチャートであり、また図５はグラフィックＬＣＤ１０の画面遷移図である。先ず、通常の印刷処理を行っている際、例えば紙詰まりが発生すると、グラフィックＬＣＤ１０には図５(ａ)に示す表示を行う。ユーザはこの表示を確認し、指示された手順に従って、先ず右側面カバー４を開ける（ステップ（以下、Ｓで示す）１がＹＥＳ）。
【００２４】
この操作によって、エンジン制御部１７から右側面カバー開閉状態記憶部１９に右側面カバー４の開放を示す信号が送信され、右側面カバー開閉状態記憶部１９に右側面カバー４の開放情報が記憶される。オペパネ制御部１６では右側面カバー開閉状態記憶部１９に記憶された情報に基づき、オペパネ制御部１６はグラフィックＬＣＤ１０に表示する表示データを左へ９０度回転させる情報を、グラフィックＬＣＤ１０に送信する（Ｓ２）。グラフィックＬＣＤ１０は、この情報に従って図５（ｂ）に示す表示を行う。
【００２５】
すなわち、この表示は右側面カバー４を開放し、紙詰まりの排除処理を行う際、ユーザにとって最も表示部８に表示される情報を読み易い表示である。したがって、ユーザは右側面側からグラフィックＬＣＤ１０に表示される紙詰まり用紙の取り除き手順を確認しながら、詰まった紙の排除処理を行うことができる。
【００２６】
その後、上記処理が完了し、右側面カバー４を閉じると（Ｓ３がＹＥＳ）、右側面カバー開閉状態記憶部１９には右側面カバー４が閉状態である情報が記憶され、オペパネ制御部１６は右側面カバー開閉状態記憶部１９の情報を読み出し、グラフィックＬＣＤ１０に表示する表示データを右に９０度回転し、グラフィックＬＣＤ１０に送信し（Ｓ４）、グラフィックＬＣＤ１０の表示を戻す（図５（ａ）に示す状態に戻す）。その後、ウエイト状態を維持する（Ｓ５）。
【００２７】
以上のように本例によれば、印刷装置１の右側の右側面カバー４を開放してオペレータが操作する場合、オペレータから見て表示が正面になり、表示が読み易くなる。したがって、グラフィックＬＣＤ１０に表示される表示内容を正確に確認でき、紙詰まり処理等を確実に行うことができる。
【００２８】
（実施形態２）
次に、本発明の実施形態２について説明する。
図６は、本例の印刷装置２０の制御システムを説明する図である。前述の印刷装置１と同様、Ｉ／Ｆコントローラ２１とエンジンコントローラ２２で構成されている。Ｉ／Ｆコントローラ２１はオペパネ制御部１６、エンジン制御部１７、正面カバー開閉状態記憶部１８、及び右側面カバー開閉状態記憶部１９で構成されている。また、正面カバー２の開閉は上記エンジン制御部１７によって検知され、正面カバー開閉状態記憶部１８に正面カバー２の開閉情報が記憶される。また、右側面カバー４の開閉も上記エンジン制御部１７によって検知され、右側面カバー開閉状態記憶部１９に右側面カバー４の開閉情報が記憶される。
【００２９】
また、正面カバー開閉状態記憶部１８、及び右側面カバー開閉状態記憶部１９に記憶された正面カバー２及び右側面カバー４の開閉情報はオペパネ制御部１６によって読み取られ、グラフィックＬＣＤ１０による表示処理に使用される。尚、本例においても、印刷装置２０の外観構成は前述の実施形態１と同様である。
【００３０】
一方、本例のオペパネ制御部１６にはボタン１〜４から操作信号が入力する。この操作信号は、オペレーションパネル２３に設けられたボタン操作部２５のボタン操作に基づく。ここで、ボタン操作部２５に表示される「上」、「下」、「左」、「右」のボタンと前述のボタン１〜４の関係は、初期時「上」がボタン１に対応し、「右」がボタン２に対応し、「下」がボタン３に対応し、「左」がボタン４に対応する。
【００３１】
図７は、本例のオペレーションパネル２３の構成を説明する図である。オペレーションパネル２３はグラフィックＬＣＤ２４、及びボタン操作部２５で構成されている。グラフィックＬＣＤ２４は前述の実施形態１と同様、表示方向が変更可能な構成である。また、本例では、ボタン操作部２５のボタン表示も表示方向が変更可能な構成である。
【００３２】
以上の構成において、以下に本例の処理動作を説明する。
図８は本例の処理動作を説明するフローチャートであり、図９は表示部の表示状態の遷移を説明する図である。
【００３３】
先ず、前述の実施形態１と同様、通常の印刷処理を行っている際、紙詰まりが発生すると、オペレーションパネル２３には図９(ａ)に示す表示が行われる。このため、ユーザはこの表示を確認し、指示手順に従って、先ず右側面カバー４を開ける（ステップ（以下、ＳＴで示す）１がＹＥＳ）。
【００３４】
この操作によって、前述のように右側面カバー開閉状態記憶部１９に右側面カバー４が開放された情報が記憶され、オペパネ制御部１６は右側面カバー開閉状態記憶部１９からこの情報を読み出し、オペレーションパネル２３に表示する表示データを左へ９０度回転させ、オペレーションパネル２３に送信する。また、同時にボタン機能変更処理を行う（ＳＴ２）。
【００３５】
このボタン機能変更処理は、前述の初期状態からボタン１を「右」に変更し、ボタン２を「下」に変更し、ボタン３を「左」に変更し、ボタン４を「上」に変更する処理である。すなわち、前述の初期状態から右回りにボタン１〜４の機能を変更する。
【００３６】
このように処理することによって、前述の図９（ａ）に示す表示状態は、同図（ｂ）に示す表示状態に変更される。
【００３７】
このようにオペレーションパネル２３の表示状態を変更することによって、紙詰まりの処理を行うオペレータにとって、右側面からの表示は最も見易い表示であり、従ってオペレータは右側面側からオペレーションパネル２３に表示される紙詰まり用紙の取り除き手順を確認しながら、処理を正確に行うことができる。
【００３８】
尚、図１０は上記ボタン機能変更処理を行わなかった場合のオペレーションパネル２３の表示状態を示す。この場合、ボタン配置は変更されず、極めて確認しずらい操作部２５となり、ボタン操作を誤る可能性もある。
【００３９】
その後、上記処理が完了し、右側面カバー４が閉じられると（ＳＴ１が閉）、右側面カバー開閉センサ１９から右側面カバーの閉成を示す信号がオペパネ制御部１６に送信され、この信号入力によって、オペパネ制御部１６はオペレーションパネル２３に表示する表示データを元のデータとして、グラフィックＬＣＤ１０に送信し（Ｓ４）、表示状態を図９（ａ）に示す状態に戻す（ＳＴ３）。
【００４０】
以上のように構成することによって、印刷装置１の右側からオペレータが操作する場合に、表示が正面になるので、表示が読み易くなり、表示部に表示される表示内容を正確に確認でき、紙詰まり処理等を確実に行うことができる。
尚、上記実施形態１の説明では、印刷装置１に右側面カバー４が配設されている場合を説明したが、印刷装置１の左側面や、裏面側に操作部が設けられている場合についても、同様に実施することができる。
【符号の説明】
【００４１】
１・・・印刷装置
２・・・正面カバー
３ａ、３ｂ・・給紙カセット
４・・・右側面カバー
５・・・オペレーションパネル
６・・・排紙部
７・・・操作部
８・・・表示部
１０・・グラフィックＬＣＤ
１１・・オフラインランプ
１２・・節電ランプ
１３・・Ｉ／Ｆコントローラ
１４・・エンジンコントローラ
１６・・オペパネ制御部
１７・・エンジン制御部
１８・・正面カバー開閉センサ
１９・・右側面カバー開閉センサ
２０・・印刷装置
２１・・Ｉ／Ｆコントローラ
２２・・エンジンコントローラ
２３・・オペレーションパネル
２４・・グラフィックＬＣＤ
２５・・ボタン操作部
【図１】
2010208267.tif 000003
【図３】
2010208267.tif 000004
【図４】
2010208267.tif 000005
【図５】
2010208267.tif 000006
【図６】
2010208267.tif 000007
【図７】
2010208267.tif 000008
【図８】
2010208267.tif 000009
【図１０】
2010208267.tif 000010
【図１１】
2010208267.tif 000011
【図１２】
2010208267.tif 000012
【図２】
2010208267.tif 000013
【図９】
2010208267.tif 000014